(57)【要約】【課題】安全性の向上を図ることができる蓄電装置を提供する。【解決手段】電極体７００を有する蓄電素子１０を備える蓄電装置であって、電極体７００を流れる電流の経路に配置される第一導電部５１０及び第二導電部５２０と、第一導電部５１０及び第二導電部５２０の間に設けられるヒューズ部５３０と、を備え、第一導電部５１０は、他の部材に固定される固定部５１２を有し、第二導電部５２０は、ヒューズ部５３０を第一導電部５１０から離れる方向に向けて付勢する付勢部５２３を有し、第一導電部５１０、第二導電部５２０及びヒューズ部５３０は、１つの部材のうちの異なる部位である。【選択図】図５
2020149849.tif 000002
【特許請求の範囲】
【請求項１】
電極体を有する蓄電素子を備える蓄電装置であって、
前記電極体を流れる電流の経路に配置される第一導電部及び第二導電部と、
前記第一導電部及び前記第二導電部の間に設けられるヒューズ部と、を備え、
前記第一導電部は、他の部材に固定される固定部を有し、
前記第二導電部は、前記ヒューズ部を前記第一導電部から離れる方向に向けて付勢する付勢部を有し、
前記第一導電部、前記第二導電部及び前記ヒューズ部は、１つの部材のうちの異なる部位である
蓄電装置。
【請求項２】
前記付勢部は、屈曲または湾曲した曲げ部であり、前記曲げ部が開く力によって、前記ヒューズ部を前記第一導電部から離れる方向に向けて付勢する
請求項１に記載の蓄電装置。
【請求項３】
前記付勢部は、前記第一導電部とで前記ヒューズ部を挟む位置に配置される
請求項１または２に記載の蓄電装置。
【請求項４】
前記第二導電部は、さらに、前記付勢部と前記ヒューズ部との間に、前記付勢部と前記ヒューズ部とに接続されて配置される中間部を有し、
前記付勢部は、前記中間部の前記ヒューズ部と対向しない位置に配置される
請求項１または２に記載の蓄電装置。
【請求項５】
前記ヒューズ部は、前記中間部の前記付勢部とは反対側の端部に配置される
請求項４に記載の蓄電装置。
【請求項６】
前記蓄電素子は、さらに、電極端子を有し、
前記第一導電部及び前記第二導電部は、一方が前記電極体に接続され、他方が前記電極端子に接続される
請求項１〜５のいずれか１項に記載の蓄電装置。
【発明の詳細な説明】
【技術分野】
【０００１】
本発明は、ヒューズ部を備える蓄電装置に関する。
【背景技術】
【０００２】
従来、ヒューズ部を備える蓄電装置が広く知られている。例えば、特許文献１には、正極リード若しくは負極リードにヒューズ体（ヒューズ部）が設けられ、充電時に正負極間の電圧が所定値以上となった場合に、ヒューズ体を電極組立体に蓄積されたエネルギーで溶断して、安全性の向上を図るリチウムイオン二次電池（蓄電装置）が開示されている。
【先行技術文献】
【特許文献】
【０００３】
【特許文献１】特開２０１５−１２２３２１号公報
【発明の概要】
【発明が解決しようとする課題】
【０００４】
しかしながら、本願発明者は、上記従来の構成においても、安全性の向上をさらに図るべき点があることを見出した。つまり、上記従来の構成では、ヒューズ部が溶断されても蓄電素子内部にはエネルギーが蓄積されているため、ヒューズ部の溶断箇所が再接続しないのが好ましいが、衝撃や振動等により、ヒューズ部の溶断箇所が再接続してしまうおそれがある。
【０００５】
本発明は、上記問題に鑑みてなされたものであり、安全性の向上を図ることができる蓄電装置を提供することを目的とする。
【課題を解決するための手段】
【０００６】
上記目的を達成するために、本発明の一態様に係る蓄電装置は、電極体を有する蓄電素子を備える蓄電装置であって、前記電極体を流れる電流の経路に配置される第一導電部及び第二導電部と、前記第一導電部及び前記第二導電部の間に設けられるヒューズ部と、を備え、前記第一導電部は、他の部材に固定される固定部を有し、前記第二導電部は、前記ヒューズ部を前記第一導電部から離れる方向に向けて付勢する付勢部を有し、前記第一導電部、前記第二導電部及び前記ヒューズ部は、１つの部材のうちの異なる部位である。
【０００７】
これによれば、蓄電装置において、第一導電部及び第二導電部の間にヒューズ部が設けられ、第二導電部は、ヒューズ部を第一導電部から離れる方向に向けて付勢する付勢部を有し、第一導電部、第二導電部及びヒューズ部は、１つの部材のうちの異なる部位である。このように、第二導電部に、ヒューズ部を第一導電部から離れる方向に向けて付勢する付勢部を設けることで、ヒューズ部が溶断された場合には、付勢部によって第二導電部側の溶断箇所が第一導電部側の溶断箇所から離れる方向に移動する。これにより、衝撃や振動等によってもヒューズ部の溶断箇所が再接続されるのを抑制することができるため、安全性の向上を図ることができる。
【０００８】
また、第一導電部、第二導電部及びヒューズ部が、１つの部材のうちの異なる部位、つまり、１つの部材から構成されており、複数部材が接続された構成ではない。ここで、複数部材が接続された構成の場合には、接続部分の断面積が製造ばらつき等で小さくなったときに、ヒューズ部ではなく当該接続部分で溶断する可能性がある。当該接続部分をヒューズ部として用いる場合には、ヒューズ部が溶断されるタイミングにばらつきが生じる。また、ヒューズ部が当該接続部分に近接しており、当該接続部分を溶接やはんだ等で接続する場合には、ヒューズ部が当該接続部分の接続時の熱影響を受け、材料が変質するなど損傷するおそれがある。これらにより、ヒューズ機能の信頼性が低下するおそれがある。したがって、第一導電部、第二導電部及びヒューズ部が、１つの部材から構成されていることで、上記不具合の発生を抑制してヒューズ機能の信頼性が低下するのを抑制することができるため、安全性の向上をさらに図ることができる。
【０００９】
また、前記付勢部は、屈曲または湾曲した曲げ部であり、前記曲げ部が開く力によって、前記ヒューズ部を前記第一導電部から離れる方向に向けて付勢することにしてもよい。
【００１０】
これによれば、第二導電部の付勢部は、曲げ部であり、曲げ部が開く力によって、ヒューズ部を第一導電部から離れる方向に向けて付勢している。このように、付勢部を曲げ部で形成し、曲げ部を閉じる方向に押圧させておくことで、曲げ部が開く力によって、簡易に、ヒューズ部を第一導電部から離れる方向に向けて付勢することができる。これにより、ヒューズ部の溶断箇所が再接続されるのを抑制して安全性の向上を図ることができる構成を、容易に実現することができる。
【００１１】
また、前記付勢部は、前記第一導電部とで前記ヒューズ部を挟む位置に配置されることにしてもよい。
【００１２】
これによれば、第二導電部の付勢部は、第一導電部とでヒューズ部を挟む位置、つまり、第一導電部及びヒューズ部の並び方向においてヒューズ部と対向する位置に配置されている。このように、付勢部を、ヒューズ部と対向する位置に配置することで、ヒューズ部が溶断された場合に、ヒューズ部の溶断箇所をバランスよく離すことができる。これにより、衝撃や振動等によってもヒューズ部の溶断箇所が再接続されるのをより抑制することができるため、安全性の向上を図ることができる。
【００１３】
また、前記第二導電部は、さらに、前記付勢部と前記ヒューズ部との間に、前記付勢部と前記ヒューズ部とに接続されて配置される中間部を有し、前記付勢部は、前記中間部の前記ヒューズ部と対向しない位置に配置されることにしてもよい。
【００１４】
これによれば、第二導電部において、付勢部は、付勢部とヒューズ部との間の中間部のヒューズ部と対向しない位置に配置されている。ここで、付勢部をヒューズ部と対向する位置に配置する構成においては、付勢部の位置や形状（長さ等）に制約が生じ、ヒューズ部に適切な付勢力を付与できない等により、付勢部をヒューズ部と対向しない位置に配置するのが好ましい場合がある。このような場合、付勢部をヒューズ部と対向しない位置に配置することで、ヒューズ部に適切な付勢力を付与することができる等により、安全性の向上を図ることができる。
【００１５】
また、前記ヒューズ部は、前記中間部の前記付勢部とは反対側の端部に配置されることにしてもよい。
【００１６】
これによれば、ヒューズ部は、第二導電部における中間部の付勢部とは反対側の端部に配置されている。このように、ヒューズ部を、中間部の付勢部とは反対側の端部に配置することで、ヒューズ部を中間部の付勢部側の端部に配置するよりも、ヒューズ部が溶断された場合に、ヒューズ部の溶断箇所を大きく離すことができる。これにより、衝撃や振動等によってもヒューズ部の溶断箇所が再接続されるのをより抑制することができるため、安全性の向上を図ることができる。
【００１７】
また、前記蓄電素子は、さらに、電極端子を有し、前記第一導電部及び前記第二導電部は、一方が前記電極体に接続され、他方が前記電極端子に接続されることにしてもよい。
【００１８】
これによれば、第一導電部及び第二導電部は、一方が蓄電素子の電極体に接続され、他方が蓄電素子の電極端子に接続されている。このように、第一導電部及び第二導電部は、蓄電素子の電極体と電極端子とに接続される部位であるため、蓄電素子の内部に配置されていることとなる。これにより、蓄電素子の内部において、ヒューズ部の溶断箇所が再接続されるのを抑制することができるため、蓄電素子内部に蓄積されたエネルギーが蓄電素子外部に出るのを抑制することができ、安全性の向上を図ることができる。
【００１９】
なお、本発明は、このような蓄電装置として実現することができるだけでなく、第一導電部、第二導電部及びヒューズ部を有する部材としても実現することができる。
【発明の効果】
【００２０】
本発明によれば、安全性の向上を図ることができる蓄電装置を提供することができる。
【図面の簡単な説明】
【００２１】
【図１】実施の形態に係る蓄電素子の外観を示す斜視図である。
【図２】実施の形態に係る蓄電素子を分解して各構成要素を示す分解斜視図である。
【図３】実施の形態に係る正極集電体の構成を示す斜視図である。
【図４】実施の形態に係る正極集電体と正極端子との接続構成を示す斜視図である。
【図５】実施の形態に係る正極集電体と正極端子及び電極体との接続構成を示す斜視図である。
【図６】実施の形態に係る正極集電体のヒューズ部が溶断された場合の構成を示す斜視図である。
【図７】実施の形態の変形例に係る正極集電体と正極端子及び電極体との接続構成を示す断面図である。
【発明を実施するための形態】
【００２２】
以下、図面を参照しながら、本発明の実施の形態（及びその変形例）に係る蓄電装置としての蓄電素子について説明する。なお、以下で説明する実施の形態は、いずれも包括的または具体的な例を示すものである。以下の実施の形態で示される数値、形状、材料、構成要素、構成要素の配置位置及び接続形態、製造工程、製造工程の順序等は、一例であり、本発明を限定する主旨ではない。また、以下の実施の形態における構成要素のうち、最上位概念を示す独立請求項に記載されていない構成要素については、任意の構成要素として説明される。また、各図において、寸法等は厳密に図示したものではない。
【００２３】
また、以下の説明及び図面中において、蓄電素子が有する一対（正極側及び負極側）の電極端子の並び方向、一対の集電体の並び方向、電極体が有する一対のタブ束の並び方向、または、容器の短側面の対向方向を、Ｘ軸方向と定義する。容器の長側面の対向方向、容器の厚さ方向、または、電極体の極板の積層方向を、Ｙ軸方向と定義する。電極端子と集電体と電極体との並び方向、蓄電素子の容器本体と蓋体との並び方向、または、上下方向を、Ｚ軸方向と定義する。これらＸ軸方向、Ｙ軸方向及びＺ軸方向は、互いに交差（本実施の形態では直交）する方向である。なお、使用態様によってはＺ軸方向が上下方向にならない場合も考えられるが、以下では説明の便宜のため、Ｚ軸方向を上下方向として説明する。また、以下の説明において、例えば、Ｘ軸方向プラス側とは、Ｘ軸の矢印方向側を示し、Ｘ軸方向マイナス側とは、Ｘ軸方向プラス側とは反対側を示す。Ｙ軸方向及びＺ軸方向についても同様である。
【００２４】
（実施の形態）
［１  蓄電素子の全般的な説明］
まず、本実施の形態に係る蓄電素子１０の全般的な説明を行う。なお、蓄電素子１０は、「蓄電素子を備える蓄電装置」の一例である。つまり、蓄電装置が１つの蓄電素子１０しか備えていない場合には、「蓄電素子を備える蓄電装置」は蓄電素子１０となる。このため、以下では、「蓄電素子を備える蓄電装置」として、蓄電素子１０を例に説明する。
【００２５】
図１は、本実施の形態に係る蓄電素子１０の外観を示す斜視図である。図２は、本実施の形態に係る蓄電素子１０を分解して各構成要素を示す分解斜視図である。なお、図２では、各構成要素を接続（接合）する前の状態での各構成要素の形状を図示している。
【００２６】
蓄電素子１０は、電気を充電し、また、電気を放電することのできる二次電池であり、具体的には、リチウムイオン二次電池等の非水電解質二次電池である。蓄電素子１０は、例えば、電気自動車（ＥＶ）、ハイブリッド電気自動車（ＨＥＶ）若しくはプラグインハイブリッド電気自動車（ＰＨＥＶ）等の自動車、自動二輪車、ウォータークラフト、スノーモービル、農業機械、建設機械、または、電車、モノレール若しくはリニアモーターカー等の電気鉄道用の鉄道車両等の移動体の駆動用若しくはエンジン始動用、または、家庭用若しくは発電機用に使用される定置用のバッテリ等として用いられる。
【００２７】
なお、蓄電素子１０は、非水電解質二次電池には限定されず、非水電解質二次電池以外の二次電池であってもよいし、キャパシタであってもよい。また、蓄電素子１０は、二次電池ではなく、使用者が充電をしなくても蓄えられている電気を使用できる一次電池であってもよい。さらに、蓄電素子１０は、固体電解質を用いた電池であってもよい。また、本実施の形態では、直方体形状（角形）の蓄電素子１０を図示しているが、蓄電素子１０の形状は、直方体形状には限定されず、直方体形状以外の多角柱形状、円柱形状、長円柱形状等であってもよいし、ラミネート型の蓄電素子とすることもできる。
【００２８】
図１に示すように、蓄電素子１０は、容器１００と、正極端子２００と、負極端子２１０と、正極上部ガスケット３００と、負極上部ガスケット３１０とを備えている。また、図２に示すように、容器１００内方には、正極下部ガスケット４００、負極下部ガスケット４１０、正極集電体５００、負極集電体６００、及び、電極体７００が収容されている。また、容器１００の内部には、電解液（非水電解質）が封入されているが、省略して図示している。なお、当該電解液としては、蓄電素子１０の性能を損なうものでなければその種類に特に制限はなく、様々なものを選択することができる。また、上記の構成要素の他、電極体７００の側方や上方等に配置されるスペーサ、または、電極体７００等を包み込む絶縁フィルム等が配置されていてもよい。
【００２９】
容器１００は、矩形筒状で底を備える容器本体１１０と、容器本体１１０の開口を閉塞する板状部材である蓋体１２０と、で構成された直方体形状（箱形）のケースである。容器１００は、電極体７００等を内部に収容後、容器本体１１０と蓋体１２０とが溶接等されることにより、内部を密封することができる構成となっている。なお、容器１００の材質は特に限定されないが、例えばステンレス鋼、アルミニウム、アルミニウム合金、鉄、メッキ鋼板など溶接可能な金属であるのが好ましい。また、蓋体１２０には、容器１００の内圧が上昇したときに容器１００内部のガスを排出するガス排出弁１２１が配置されている。なお、容器１００には、内部に電解液を注入するための注液部が形成されていてもよい。
【００３０】
電極体７００は、正極板と負極板とセパレータとを備え、電気を蓄えることができる蓄電要素（発電要素）である。正極板は、アルミニウムまたはアルミニウム合金等からなる平板状かつ矩形状の正極集電箔と、正極集電箔の表面に形成された正極活物質層とを有している。負極板は、銅または銅合金等からなる平板状かつ矩形状の負極集電箔と、負極集電箔の表面に形成された負極活物質層とを有している。なお、正極活物質層及び負極活物質層に用いられる正極活物質及び負極活物質としては、リチウムイオンを吸蔵放出可能な活物質であれば、適宜公知の材料を使用できる。
【００３１】
また、正極集電箔及び負極集電箔は、ともに、上方（Ｚ軸方向プラス側）に突出する矩形状のタブを有している。そして、複数の正極板と複数の負極板とがセパレータを挟んで積層されることにより、正極板及び負極板ともに複数のタブが積層される。その結果、電極体７００には、正極側のタブ束７１０と負極側のタブ束７２０とが形成されている。
【００３２】
なお、正極板及び負極板は、矩形状を有していることとしたが、正極板及び負極板の形状は、矩形状には限定されず、矩形状以外の多角形状、長楕円形状、長円形状等でもよい。また、正極板及び負極板のタブについても、矩形状には限定されず、矩形状以外の多角形状、半円形状、半長円形状、半楕円形状等、どのような形状でもかまわない。また、積層された正極板及び負極板は、例えば、電極体７００の周囲、または、電極体７００のＸ軸方向端部若しくはＺ軸方向端部等に絶縁テープが配置されて、積層方向（Ｙ軸方向）に挟まれることで、固定されていることにしてもよい。または、ヒートプレス等によって、当該正極板及び負極板が積層方向に固定されていることにしてもよい。
【００３３】
正極端子２００は、正極集電体５００を介して、電極体７００の正極板に電気的に接続される電極端子である。負極端子２１０は、負極集電体６００を介して、電極体７００の負極板に電気的に接続される電極端子である。つまり、正極端子２００及び負極端子２１０は、電極体７００に蓄えられている電気を蓄電素子１０の外部空間に導出し、また、電極体７００に電気を蓄えるために蓄電素子１０の内部空間に電気を導入するための金属製の電極端子である。正極端子２００及び負極端子２１０は、かしめ等によって、正極集電体５００及び負極集電体６００に接続され、かつ、蓋体１２０に取り付けられている。
【００３４】
具体的には、正極端子２００は、下方（Ｚ軸方向マイナス側）に延びる円柱形状の軸部２０１（リベット部）を有している。そして、軸部２０１が、正極上部ガスケット３００の円形状の貫通孔３０１と、蓋体１２０の円形状の貫通孔１２３と、正極下部ガスケット４００の円形状の貫通孔４０１と、正極集電体５００の円形状の貫通孔５０１とに挿入されて、かしめられる。これにより、正極端子２００は、正極上部ガスケット３００、正極下部ガスケット４００及び正極集電体５００とともに、蓋体１２０に固定される。負極側についても同様である。なお、正極端子２００及び負極端子２１０は、アルミニウム、アルミニウム合金、銅または銅合金等で形成されている。
【００３５】
正極集電体５００は、電極体７００の正極板と正極端子２００とを電気的に接続する板状の導電部材である。負極集電体６００は、電極体７００の負極板と負極端子２１０とを電気的に接続する板状の導電部材である。具体的には、正極集電体５００は、電極体７００の正極側のタブ束７１０と溶接等により接合されるとともに、上述の通り、正極端子２００とかしめ等により接合される。負極集電体６００は、電極体７００の負極側のタブ束７２０と溶接等により接合されるとともに、上述の通り、負極端子２１０とかしめ等により接合される。なお、正極集電体５００は、アルミニウムまたはアルミニウム合金等で形成され、負極集電体６００は、銅または銅合金等で形成されている。
【００３６】
また、正極集電体５００及び負極集電体６００は、電極体７００と容器１００の蓋体１２０との間に配置される。具体的には、正極集電体５００は、電極体７００の正極側のタブ束７１０と正極下部ガスケット４００との間に配置され、負極集電体６００は、電極体７００の負極側のタブ束７２０と負極下部ガスケット４１０との間に配置される。つまり、正極集電体５００は、蓋体１２０とで正極下部ガスケット４００を挟む位置に配置され、負極集電体６００は、蓋体１２０とで負極下部ガスケット４１０を挟む位置に配置される。正極集電体５００及び負極集電体６００の構成の詳細な説明については、後述する。
【００３７】
正極上部ガスケット３００は、容器１００の蓋体１２０と正極端子２００との間に配置された、平板状の絶縁性の封止部材である。負極上部ガスケット３１０は、容器１００の蓋体１２０と負極端子２１０との間に配置された、平板状の絶縁性の封止部材である。具体的には、正極上部ガスケット３００は、正極端子２００の下部及び側部を覆うように形成され、負極上部ガスケット３１０は、負極端子２１０の下部及び側部を覆うように形成されている。
【００３８】
正極下部ガスケット４００は、蓋体１２０と正極集電体５００との間に配置された、平板状の絶縁性の封止部材である。負極下部ガスケット４１０は、蓋体１２０と負極集電体６００との間に配置された、平板状の絶縁性の封止部材である。
【００３９】
なお、正極上部ガスケット３００、負極上部ガスケット３１０、正極下部ガスケット４００及び負極下部ガスケット４１０は、例えば、ポリプロピレン（ＰＰ）、ポリエチレン（ＰＥ）、ポリフェニレンサルファイド樹脂（ＰＰＳ）、ポリエチレンテレフタラート（ＰＥＴ）、ポリエーテルエーテルケトン（ＰＥＥＫ）、テトラフルオロエチレン・パーフルオロアルキルビニルエーテル（ＰＦＡ）、ポリテトラフルオロエチレン（ＰＴＦＥ）、ポリブチレンテレフタレート（ＰＢＴ）、ポリエーテルサルフォン（ＰＥＳ）、及び、それらの複合材料等の樹脂等によって形成されている。
【００４０】
［２  正極集電体及び負極集電体の構成の説明］
次に、正極集電体５００及び負極集電体６００の構成について、詳細に説明する。なお、正極集電体５００と負極集電体６００とは、同様の構成（ＹＺ平面に対して対称な形状）を有するため、以下では、正極集電体５００について詳細に説明し、負極集電体６００の説明は簡略化または省略する。
【００４１】
図３は、本実施の形態に係る正極集電体５００の構成を示す斜視図である。具体的には、図３の（ａ）は、正極集電体５００を斜め上方から見た場合の斜視図、つまり、図２に示した正極集電体５００を拡大して示す拡大斜視図である。図３の（ｂ）は、図３の（ａ）の正極集電体５００を、Ｘ軸まわりに１８０°回転させた状態での構成を示す斜視図である。図４は、本実施の形態に係る正極集電体５００と正極端子２００との接続構成を示す斜視図である。具体的には、図４の（ａ）は、正極集電体５００と正極端子２００とが接続された状態での構成を斜め上方から見た場合の斜視図であり、図４の（ｂ）は、図４の（ａ）の構成を、Ｘ軸まわりに１８０°回転させた状態での構成を示す斜視図である。図５は、本実施の形態に係る正極集電体５００と正極端子２００及び電極体７００との接続構成を示す斜視図である。具体的には、図５は、図４の（ｂ）に対応する図である。なお、図５では、説明の便宜のため、電極体７００は、省略して図示している。
【００４２】
正極集電体５００は、一端が電極体７００に接続され、他端が正極端子２００に接続される部材である。具体的には、図３に示すように、正極集電体５００は、電極体７００に接続される第一導電部５１０と、正極端子２００に接続される第二導電部５２０と、第一導電部５１０及び第二導電部５２０の間に設けられるヒューズ部５３０と、を有している。つまり、１枚の平板状の部材がプレス加工され折り曲げられる等により、第一導電部５１０と第二導電部５２０とヒューズ部５３０とを有する正極集電体５００が形成されている。このように、正極集電体５００は、複数の部材が接続（接合）されて構成されているのではなく、１つの連続した部材からなる一体物である。言い換えると、第一導電部５１０、第二導電部５２０及びヒューズ部５３０は、１つの部材のうちの異なる部位である。
【００４３】
ここで、第一導電部５１０、第二導電部５２０及びヒューズ部５３０は、正極集電体５００のうちの異なる部位であるため、電極体７００を流れる電流の経路に配置される部位である。このような各部位について、まず、第二導電部５２０の説明を行った後に、第一導電部５１０及びヒューズ部５３０の説明を行う。第二導電部５２０は、端子接続部５２１と、中間部５２２と、付勢部５２３とを有している。
【００４４】
端子接続部５２１は、正極端子２００とかしめ等によって接続（接合）される矩形状かつ平板状の部位であり、ＸＹ平面に平行に配置されている。つまり、上述の通り、端子接続部５２１は、貫通孔５０１を有しており、Ｚ軸方向に向いた（Ｚ軸方向に面した）状態で、貫通孔５０１に正極端子２００の軸部２０１が挿入される。そして、軸部２０１のＺ軸方向マイナス側の端部がかしめられることにより、正極端子２００と端子接続部５２１とがＺ軸方向において接合される（図４参照）。なお、端子接続部５２１と正極端子２００とを接続（接合）する手法は、かしめ接合には限定されず、超音波接合、レーザ溶接、抵抗溶接等の溶接、または、ねじ締結等のかしめ以外の機械的接合等が用いられてもよい。
【００４５】
中間部５２２は、端子接続部５２１及び第一導電部５１０を繋ぐ矩形状かつ平板状の部位であり、付勢部５２３とヒューズ部５３０との間に、付勢部５２３とヒューズ部５３０とに接続されて配置されている。本実施の形態では、中間部５２２は、中間部５２２の法線方向から見て、付勢部５２３側の端部の幅がヒューズ部５３０側の端部の幅よりも大きく形成されている。つまり、図３では、中間部５２２は、Ｙ軸方向から見て、Ｚ軸方向プラス側の端部のＸ軸方向の幅が、Ｘ軸方向プラス側の端部のＺ軸方向の幅よりも大きく形成されている。
【００４６】
また、中間部５２２は、第一導電部５１０が電極体７００に接続される前の状態（図３及び図４の状態）では、ＸＺ平面に平行に配置されている。具体的には、中間部５２２は、端子接続部５２１のＹ軸方向プラス側かつＺ軸方向マイナス側、及び、第一導電部５１０のＸ軸方向マイナス側に配置されている。つまり、中間部５２２は、端子接続部５２１のＹ軸方向プラス側の端部からＺ軸方向マイナス側に折り曲げられ、かつ、Ｘ軸方向において第一導電部５１０と並ぶように配置されている。
【００４７】
付勢部５２３は、端子接続部５２１のＹ軸方向プラス側の端部に接続され、Ｙ軸方向プラス側に凸形状となるように湾曲した、ＹＺ平面での断面形状がＬ字状となる部位である。つまり、付勢部５２３は、上述の通り、中間部５２２が端子接続部５２１に対して折り曲げられて形成される曲げ部である。具体的には、付勢部５２３は、中間部５２２が端子接続部５２１に対して、Ｚ軸方向マイナス側に折り曲げられて形成されている。付勢部５２３の厚み（板厚）は、特に限定されず、折り曲げやすいように端子接続部５２１及び中間部５２２よりも薄く形成されていてもよいが、後述の付勢力を得るために、端子接続部５２１及び中間部５２２と同等またはそれ以上の厚みで形成されるのが好ましい。なお、付勢部５２３は、湾曲ではなく屈曲した曲げ部であってもよい。
【００４８】
第一導電部５１０は、電極体７００のタブ束７１０と溶接等によって接続（接合）される矩形状かつ平板状の部位であり、当該接続の前の状態（図３及び図４の状態）では、ＸＺ平面に平行に配置されている。具体的には、第二導電部５２０の中間部５２２及び第一導電部５１０がＹ軸方向に向いた（Ｙ軸方向に面した）状態で、第一導電部５１０のＹ軸方向プラス側の面である電極体接続面５１１に、電極体７００のタブ束７１０（図示せず）が溶接により接合される。例えば、電極体接続面５１１と当て板（図示せず）とでタブ束７１０を挟んだ状態で、溶接が行われる。そして、中間部５２２及び第一導電部５１０が、端子接続部５２１に対してＹ軸方向マイナス側に折り曲げられる。これにより、図５に示すように、電極体接続面５１１がＺ軸方向マイナス側の面となり、第一導電部５１０は、Ｚ軸方向に向いた（Ｚ軸方向に面した）状態で、Ｚ軸方向において電極体７００のタブ束７１０と接合された構成となる。
【００４９】
言い換えれば、電極体７００のタブ束７１０は、Ｚ軸方向に延設された状態で電極体接続面５１１に接合され、接合後に、Ｙ軸方向に折り曲げられて、Ｙ軸方向に延設された状態となる。なお、第一導電部５１０と電極体７００のタブ束７１０とを接続（接合）する手法は、超音波接合、レーザ溶接、抵抗溶接等、どのような溶接が用いられてもよいし、かしめ接合やねじ締結等の機械的接合等が用いられてもよい。
【００５０】
また、この際、中間部５２２についても、Ｚ軸方向に向いた（Ｚ軸方向に面した）状態となるため、付勢部５２３は、ＹＺ平面での断面形状がＵ字状となるように形成される。また、中間部５２２は、端子接続部５２１のＺ軸方向マイナス側、つまり、Ｚ軸方向から見て、端子接続部５２１と重なる位置に配置されることとなる。
【００５１】
ここで、図４及び図５に示すように、正極下部ガスケット４００は、第一導電部５１０及び中間部５２２がＺ軸方向マイナス側に移動するのを規制する規制部４０２を有している。規制部４０２は、正極下部ガスケット４００のＸ軸方向プラス側の部位のＺ軸方向マイナス側の面に設けられ、Ｘ軸方向マイナス側に向けて突出する突起（爪）である。
【００５２】
図５に示すように、規制部４０２は、第一導電部５１０及び中間部５２２が端子接続部５２１に対して折り曲げられた場合に、第一導電部５１０の固定部５１２のＺ軸方向マイナス側に配置される。これにより、規制部４０２は、固定部５１２と係合して第一導電部５１０を正極下部ガスケット４００に対して固定することで、第一導電部５１０がＺ軸方向においてＺ軸方向マイナス側に移動するのを規制する。固定部５１２は、第一導電部５１０のＸ軸方向プラス側の端部の略中央部に位置する、正極下部ガスケット４００に固定される部位である。なお、正極下部ガスケット４００は、他の部材の一例である。
【００５３】
なお、規制部４０２は、第一導電部５１０のＸ軸方向マイナス側、Ｙ軸方向プラス側またはＹ軸方向マイナス側の端部に配置されてもよい。または、正極下部ガスケット４００は、これらのいずれかの端部に配置される複数の規制部４０２を有していることにしてもよい。ただし、第一導電部５１０の移動を効果的に規制する等の観点からは、規制部４０２は、第一導電部５１０のＸ軸方向プラス側またはＹ軸方向マイナス側の端部に配置されるのが好ましい。
【００５４】
ヒューズ部５３０は、第一導電部５１０と第二導電部５２０の中間部５２２との間に配置され、第一導電部５１０及び第二導電部５２０の間の導通状態を遮断するヒューズ機能を有する部位である。以下、図５を参照して、ヒューズ部５３０の構成について詳細に説明する。
【００５５】
図５に示すように、ヒューズ部５３０は、中間部５２２のＸ軸方向プラス側の端部と第一導電部５１０のＸ軸方向マイナス側の端部とに接続され、Ｘ軸方向プラス側に向けてＺ軸方向プラス側に傾斜した、ＸＺ平面での断面形状が略Ｓ字状となる部位である。つまり、ヒューズ部５３０は、中間部５２２から第一導電部５１０に向けて、Ｚ軸方向プラス側及びＸ軸方向プラス側に２回折り曲げられて形成された傾斜部である。これにより、第一導電部５１０は、中間部５２２のＸ軸方向プラス側及びＺ軸方向プラス側に配置されることとなる。本実施の形態では、第一導電部５１０は、Ｚ軸方向において、端子接続部５２１と同じ位置に配置されている。
【００５６】
また、ヒューズ部５３０は、中間部５２２と第一導電部５１０との間において、Ｙ軸方向に延設されている。具体的には、ヒューズ部５３０は、Ｙ軸方向において、中間部５２２の幅、または、第一導電部５１０の幅の約半分または半分以下の長さを有している。つまり、ヒューズ部５３０は、中間部５２２のＸ軸方向プラス側の端部のうちのＹ軸方向マイナス側の端部、かつ、第一導電部５１０のＸ軸方向マイナス側の端部のうちのＹ軸方向マイナス側の端部に配置されている。
【００５７】
ここで、付勢部５２３は、中間部５２２のＹ軸方向プラス側の端部に配置されているため、付勢部５２３は、中間部５２２のヒューズ部５３０と対向しない位置に配置されている。そして、ヒューズ部５３０は、中間部５２２の付勢部５２３とは反対側の端部に配置されている。または、ヒューズ部５３０は、第一導電部５１０の付勢部５２３とは反対側の端部に配置されているとも言える。
【００５８】
このような構成において、図５では、付勢部５２３は、ヒューズ部５３０を第一導電部５１０から離れる方向（Ｚ軸方向マイナス側）に向けて付勢した状態となっている。具体的には、付勢部５２３は、曲げ部が開く力によって、ヒューズ部５３０を第一導電部５１０から離れる方向に向けて付勢している。つまり、付勢部５２３は、スプリングバックによる付勢力で、中間部５２２、ヒューズ部５３０及び第一導電部５１０を、Ｚ軸方向マイナス側に向けて付勢している。そして、第一導電部５１０が正極下部ガスケット４００に対して固定されているため、付勢部５２３は、中間部５２２及びヒューズ部５３０を第一導電部５１０から離れる方向に付勢していることとなる。
【００５９】
［３  効果の説明］
以上のように、本発明の実施の形態に係る蓄電装置としての蓄電素子１０によれば、第一導電部５１０及び第二導電部５２０の間にヒューズ部５３０が設けられ、第二導電部５２０は、ヒューズ部５３０を第一導電部５１０から離れる方向に向けて付勢する付勢部５２３を有している。このように、第二導電部５２０に、ヒューズ部５３０を第一導電部５１０から離れる方向に向けて付勢する付勢部５２３を設けることで、ヒューズ部５３０が溶断された場合には、付勢部５２３によって第二導電部５２０側の溶断箇所が第一導電部５１０側の溶断箇所から離れる方向に移動する。これにより、衝撃や振動等によってもヒューズ部５３０の溶断箇所が再接続されるのを抑制することができるため、安全性の向上を図ることができる。
【００６０】
つまり、図６に示すように、ヒューズ部５３０が溶断された場合には、付勢部５２３による付勢力によって、第二導電部５２０側の溶断箇所である第二溶断部５３２が、第一導電部５１０側の溶断箇所である第一溶断部５３１から離れる方向（Ｚ軸方向マイナス側）に移動する。この際、第二溶断部５３２は、付勢部５２３によって、Ｚ軸方向マイナス側へ移動した状態が維持される。これにより、衝撃や振動等によっても、第二溶断部５３２が第一溶断部５３１と再接続されるのを抑制することができ、安全性の向上を図ることができる。なお、図６は、本実施の形態に係る正極集電体５００のヒューズ部５３０が溶断された場合の構成を示す斜視図である。具体的には、図６は、図５に対応する図である。
【００６１】
また、第一導電部５１０、第二導電部５２０及びヒューズ部５３０は、１つの部材のうちの異なる部位である。このように、第一導電部５１０、第二導電部５２０及びヒューズ部５３０は、１つの部材から構成されており、複数部材が接続された構成ではない。ここで、複数部材が接続された構成の場合には、接続部分の断面積が製造ばらつき等で小さくなったときに、ヒューズ部ではなく当該接続部分で溶断する可能性がある。当該接続部分をヒューズ部として用いる場合には、ヒューズ部が溶断されるタイミングにばらつきが生じる。また、ヒューズ部が当該接続部分に近接しており、当該接続部分を溶接やはんだ等で接続する場合には、ヒューズ部が当該接続部分の接続時の熱影響を受け、材料が変質するなど損傷するおそれがある。これらにより、ヒューズ機能の信頼性が低下するおそれがある。したがって、第一導電部５１０、第二導電部５２０及びヒューズ部５３０が、１つの部材から構成されていることで、上記不具合の発生を抑制してヒューズ機能の信頼性が低下するのを抑制することができるため、安全性の向上をさらに図ることができる。
【００６２】
また、第一導電部５１０、第二導電部５２０及びヒューズ部５３０が、１つの部材から構成されているため、構成が簡易であり、省スペース化を図ることができる。これにより、蓄電装置の小型化または高容量化（高エネルギー密度化）を図ることができる。さらに、構成が簡易であるため、蓄電装置の製造も容易になり、製造時間の短縮、及び、製造コストの低減等も図ることができる。
【００６３】
また、第二導電部５２０の付勢部５２３は、曲げ部であり、曲げ部が開く力によって、ヒューズ部５３０を第一導電部５１０から離れる方向に向けて付勢している。このように、付勢部５２３を曲げ部で形成し、曲げ部を閉じる方向に押圧させておくことで、曲げ部が開く力によって、簡易に、ヒューズ部５３０を第一導電部５１０から離れる方向に向けて付勢することができる。これにより、ヒューズ部５３０の溶断箇所が再接続されるのを抑制して安全性の向上を図ることができる構成を、容易に実現することができる。
【００６４】
また、第二導電部５２０において、付勢部５２３は、付勢部５２３とヒューズ部５３０との間の中間部５２２のヒューズ部５３０と対向しない位置に配置されている。ここで、付勢部５２３をヒューズ部５３０と対向する位置に配置する構成においては、付勢部５２３の位置や形状（長さ等）に制約が生じ、ヒューズ部５３０に適切な付勢力を付与できない等により、付勢部５２３をヒューズ部５３０と対向しない位置に配置するのが好ましい場合がある。このような場合、付勢部５２３をヒューズ部５３０と対向しない位置に配置することで、ヒューズ部５３０に適切な付勢力を付与することができる等により、安全性の向上を図ることができる。
【００６５】
また、ヒューズ部５３０は、第二導電部５２０における中間部５２２の付勢部５２３とは反対側の端部に配置されている。このように、ヒューズ部５３０を、中間部５２２の付勢部５２３とは反対側の端部に配置することで、ヒューズ部５３０を中間部５２２の付勢部５２３側の端部に配置するよりも、ヒューズ部５３０が溶断された場合に、ヒューズ部５３０の溶断箇所を大きく離すことができる。これにより、衝撃や振動等によってもヒューズ部５３０の溶断箇所が再接続されるのをより抑制することができるため、安全性の向上を図ることができる。
【００６６】
また、第一導電部５１０及び第二導電部５２０は、一方が蓄電素子１０の電極体７００に接続され、他方が蓄電素子１０の電極端子（正極端子２００）に接続されている。このように、第一導電部５１０及び第二導電部５２０は、蓄電素子１０の電極体７００と電極端子とに接続される部位であるため、蓄電素子１０の内部に配置されていることとなる。これにより、蓄電素子１０の内部において、ヒューズ部５３０の溶断箇所が再接続されるのを抑制することができるため、蓄電素子１０内部に蓄積されたエネルギーが蓄電素子１０外部に出るのを抑制することができ、安全性の向上を図ることができる。
【００６７】
また、上述の通り、第一導電部５１０及び第二導電部５２０は、構成が簡易であるため、蓄電素子１０の内部に配置しても、蓄電素子１０の小型化または高容量化（高エネルギー密度化）を図ることができる。さらに、第一導電部５１０及び第二導電部５２０は、構成が簡易であるため、蓄電素子１０の製造も容易になり、製造時間の短縮、及び、製造コストの低減等も図ることができる。
【００６８】
また、中間部５２２において、付勢部５２３側の端部の幅をヒューズ部５３０側の端部の幅よりも大きく形成することで、付勢部５２３の長さを長くすることができる。このため、付勢部５２３による付勢力を大きくすることができる。これにより、ヒューズ部５３０が溶断された場合に、ヒューズ部５３０の溶断箇所が再接続されるのを抑制することができるため、安全性の向上を図ることができる。
【００６９】
なお、上記では正極側（正極集電体５００側）の構成についての効果の説明を行ったが、負極側（負極集電体６００側）の構成についても同様の効果を奏する。以下についても、同様である。
【００７０】
［４  変形例の説明］
次に、上記実施の形態の変形例について、説明する。図７は、本実施の形態の変形例に係る正極集電体５００ａと正極端子２００及び電極体７００との接続構成を示す断面図である。なお、図７では、説明の便宜のため、電極体７００は、省略して図示している。
【００７１】
図７に示すように、本変形例では、上記実施の形態における正極集電体５００に代えて、正極集電体５００ａが配置されている。正極集電体５００ａは、上記実施の形態における正極集電体５００の第二導電部５２０に代えて、第二導電部５２０ａを有している。第二導電部５２０ａは、上記実施の形態における第二導電部５２０の中間部５２２及び付勢部５２３に代えて、付勢部５２３ａを有している。その他の構成については、上記実施の形態と同様である。
【００７２】
付勢部５２３ａは、端子接続部５２１のＸ軸方向プラス側の端部、かつ、ヒューズ部５３０のＸ軸方向マイナス側の端部に接続され、Ｚ軸方向マイナス側に凸形状となるように湾曲した、ＸＺ平面での断面形状がＵ字状となる曲げ部である。つまり、付勢部５２３ａは、第一導電部５１０とでヒューズ部５３０を挟む位置に配置されている。なお、付勢部５２３ａの厚み（板厚）は、特に限定されず、折り曲げやすいように端子接続部５２１及び第一導電部５１０よりも薄く形成されていてもよいが、後述の付勢力を得るために、端子接続部５２１及び第一導電部５１０と同等またはそれ以上の厚みで形成されるのが好ましい。また、付勢部５２３ａは、湾曲ではなく屈曲した曲げ部であってもよい。
【００７３】
このような構成において、図７の（ａ）に示すように、正極集電体５００ａは、第一導電部５１０が正極下部ガスケット４００に対して固定される前の状態では、第一導電部５１０が端子接続部５２１に対して傾斜した形状を有している。そして、図７の（ｂ）に示すように、第一導電部５１０が正極下部ガスケット４００に対して固定される。この際、付勢部５２３ａは、ヒューズ部５３０を第一導電部５１０から離れる方向（Ｚ軸方向マイナス側）に向けて付勢した状態となっている。具体的には、付勢部５２３ａは、曲げ部が開く力によって、ヒューズ部５３０を第一導電部５１０から離れる方向に向けて付勢している。
【００７４】
そして、図７の（ｃ）に示すように、ヒューズ部５３０が溶断された場合には、付勢部５２３ａによる付勢力によって、第二導電部５２０ａ側の溶断箇所である第二溶断部５３２が、第一導電部５１０側の溶断箇所である第一溶断部５３１から離れる方向（Ｚ軸方向マイナス側）に移動する。この際、第二溶断部５３２は、付勢部５２３ａによって、Ｚ軸方向マイナス側へ移動した状態が維持される。これにより、衝撃や振動等によっても、第二溶断部５３２が第一溶断部５３１と再接続されるのを抑制することができ、安全性の向上を図ることができる。
【００７５】
以上のように、本変形例に係る蓄電装置としての蓄電素子によれば、上記実施の形態と同様の効果を奏することができる。特に、第二導電部５２０ａの付勢部５２３ａは、第一導電部５１０とでヒューズ部５３０を挟む位置、つまり、第一導電部５１０及びヒューズ部５３０の並び方向においてヒューズ部５３０と対向する位置に配置されている。このように、付勢部５２３ａを、ヒューズ部５３０と対向する位置に配置することで、ヒューズ部５３０が溶断された場合に、ヒューズ部５３０の溶断箇所をバランスよく離すことができる。これにより、衝撃や振動等によってもヒューズ部５３０の溶断箇所が再接続されるのをより抑制することができるため、安全性の向上を図ることができる。
【００７６】
（その他の変形例）
以上、本発明の実施の形態及びその変形例に係る蓄電装置としての蓄電素子について説明したが、本発明は、この実施の形態及びその変形例に限定されない。つまり、今回開示された実施の形態及びその変形例は全ての点で例示であり、本発明の範囲は上記した説明ではなくて特許請求の範囲によって示され、特許請求の範囲と均等の意味及び範囲内での全ての変更が含まれる。なお、以下では、正極集電体５００、５００ａについて説明するが、負極集電体６００についても同様である。
【００７７】
例えば、上記実施の形態及びその変形例では、第一導電部５１０が電極体７００に接続され、第二導電部５２０、５２０ａが正極端子２００に接続されることとした。しかし、第一導電部５１０が正極端子２００に接続され、第二導電部５２０、５２０ａが電極体７００に接続される構成でもよい。つまり、第一導電部５１０及び第二導電部５２０、５２０ａは、一方が電極体７００に接続され、他方が電極端子（正極端子２００）に接続される構成であればよい。
【００７８】
また、上記実施の形態及びその変形例では、第一導電部５１０は、固定部５１２が正極下部ガスケット４００の規制部４０２と係合することで、正極下部ガスケット４００に対して固定されることとした。しかし、第一導電部５１０は、係合ではなく、正極下部ガスケット４００と互いに嵌合することによって、正極下部ガスケット４００に対して固定されることにしてもよい。または、第一導電部５１０は、接着剤または両面テープ等による接着（または粘着）、熱溶着等による溶着、超音波接合、レーザ溶接または抵抗溶接等による溶接、かしめ接合またはねじ締結等による機械的接合等、どのような手法で正極下部ガスケット４００に対して固定されてもよい。また、第一導電部５１０は、正極下部ガスケット４００ではなく、端子接続部５２１、蓋体１２０、または、正極端子２００の軸部２０１のかしめ部等に固定されることにしてもよい。
【００７９】
また、上記実施の形態及びその変形例では、付勢部５２３、５２３ａは、屈曲または湾曲した曲げ部であり、曲げ部が開く力によって、ヒューズ部５３０を第一導電部５１０から離れる方向に向けて付勢することとした。しかし、付勢部５２３、５２３ａは、曲げ部以外の構成により、ヒューズ部５３０を第一導電部５１０から離れる方向に向けて付勢することにしてもよい。
【００８０】
また、上記実施の形態及びその変形例では、第一導電部５１０は、電極体７００のタブ束７１０との接合後に、折り曲げられて正極下部ガスケット４００に対して固定されることとした。しかし、第一導電部５１０は、正極下部ガスケット４００に対して固定された後に、タブ束７１０と接合されることにしてもよい。
【００８１】
また、上記実施の形態では、付勢部５２３は、中間部５２２のＹ軸方向プラス側の端部に配置されることにより、ヒューズ部５３０と対向しない位置に配置されることとした。しかし、付勢部５２３は、中間部５２２のＹ軸方向マイナス側の端部に配置されることにより、ヒューズ部５３０と対向しない位置に配置されることにしてもよい。または、付勢部５２３は、中間部５２２のＸ軸方向マイナス側の端部に配置されることにより、ヒューズ部５３０と対向する位置に配置されることにしてもよい。つまり、上記実施の形態においても、上記変形例と同様に、付勢部５２３は、第一導電部５１０とでヒューズ部５３０を挟む位置に配置されることにしてもよい。
【００８２】
また、上記実施の形態では、ヒューズ部５３０は、中間部５２２のＸ軸方向プラス側の端部のうちの、付勢部５２３とは反対側の端部に配置されることとした。しかし、ヒューズ部５３０は、中間部５２２のＸ軸方向プラス側の端部のうちの、付勢部５２３側の端部または中央部に配置されることにしてもよい。
【００８３】
また、上記実施の形態では、中間部５２２は、付勢部５２３側の端部の幅がヒューズ部５３０側の端部の幅よりも大きいこととした。しかし、中間部５２２は、ヒューズ部５３０側の端部の幅が付勢部５２３側の端部の幅よりも大きいことにしてもよい。
【００８４】
また、上記実施の形態及びその変形例では、第一導電部及び第二導電部は、一方が電極体７００に接続され、他方が電極端子に接続される集電体の一部であることとした。しかし、第一導電部及び第二導電部は、電極体７００を流れる電流の経路に配置されていればよく、集電体の一部には限定されない。例えば、電極体７００と集電体との間、または、正極端子２００と集電体との間に、リード等の導電部材が配置される場合には、第一導電部及び第二導電部は、当該導電部材の一部であってもよい。また、容器１００を正極または負極の電位に落とす場合には、第一導電部及び第二導電部は、容器１００の一部であってもよい。さらに、第一導電部及び第二導電部は、電極端子の一部であってもよい。
【００８５】
また、上記実施の形態及びその変形例では、蓄電装置は１つの蓄電素子しか備えておらず（つまり、蓄電装置は蓄電素子であり）、第一導電部及び第二導電部は、蓄電素子が有する部材の一部であることとした。しかし、蓄電装置は、複数の蓄電素子を備えるモジュール、または、複数の当該モジュールを備えるパックであり、第一導電部及び第二導電部は、当該モジュールまたはパックが備える部材の一部であることにしてもよい。例えば、第一導電部及び第二導電部は、蓄電素子の電極端子に接続されたバスバーの一部であってもよいし、モジュールの外部端子の一部であってもよい。また、第一導電部及び第二導電部は、モジュールの外部端子に接続されたバスバーの一部であってもよいし、パックの外部端子の一部であってもよい。また、蓄電装置にリレー等の電気部品が設けられている場合には、第一導電部及び第二導電部は、当該電気部品に接続された導電部材（バスバー等）の一部であってもよい。これらの場合でも、第一導電部及び第二導電部の構成及びその効果は、上記実施の形態及びその変形例と同様である。
【００８６】
また、上記実施の形態及びその変形例では、電極体７００は、複数枚の平板状極板を積層したスタック型の電極体であることとした。しかし、電極体７００の形状は特に限定されず、例えば、電極体７００は、正極板と負極板との間にセパレータが挟み込まれるように層状に配置されたものが巻回されて形成された巻回型の電極体であることにしてもよい。また、電極体７００は、極板を蛇腹状に折り畳んだ蛇腹型の電極体であることにしてもよい。また、電極体７００の個数は１つには限定されず、２つ以上設けられていてもよい。
【００８７】
また、上記実施の形態及びその変形例では、正極側（正極集電体５００、５００ａ側）及び負極側（負極集電体６００側）の双方が、上記構成を有していることとした。しかし、正極側または負極側が上記構成を有していないことにしてもよい。
【００８８】
なお、上記実施の形態及び上記変形例を任意に組み合わせて構築される形態も、本発明の範囲内に含まれる。
【００８９】
また、本発明は、このような蓄電装置として実現することができるだけでなく、第一導電部、第二導電部及びヒューズ部を有する部材としても実現することができる。
【産業上の利用可能性】
【００９０】
本発明は、リチウムイオン二次電池などの蓄電素子を備える蓄電装置に適用できる。
【符号の説明】
【００９１】
１０  蓄電素子
１００  容器
１２０  蓋体
２００  正極端子
２０１  軸部
４００  正極下部ガスケット
４０２  規制部
５００、５００ａ  正極集電体
５１０  第一導電部
５１１  電極体接続面
５１２  固定部
５２０、５２０ａ  第二導電部
５２１  端子接続部
５２２  中間部
５２３、５２３ａ  付勢部
５３０  ヒューズ部
５３１  第一溶断部
５３２  第二溶断部
６００  負極集電体
７００  電極体
７１０、７２０  タブ束
【図１】
2020149849.tif 000003
【図２】
2020149849.tif 000004
【図３】
2020149849.tif 000005
【図４】
2020149849.tif 000006
【図５】
2020149849.tif 000007
【図６】
2020149849.tif 000008
【図７】
2020149849.tif 000009